(57)【要約】【課題】餌や飲料を与えたときなどに音楽やメロディを自動的に奏でる簡便なペット用給餌容器を提供すること。【解決手段】受圧部２３を外方に露出するように配置された圧力スイッチ２０と、その圧力スイッチ又は再生開始スイッチ３３からの出力信号に基づいて作動する音声信号発生装置と、その音声信号発生装置から出力される音声信号によって音声を発生するスピーカ３１と、電源電池とから構成される音声再生装置を備えた受け台１０と、中央部４６が窪むように形成された鉢状の容器体４５とからなり、その容器体４５は圧力スイッチ２０の受圧部２３にて支承され、かつ、その受圧部２３に着脱自在とされている。【選択図】  図１
2004329127.tif 000002
【特許請求の範囲】
【請求項１】
受圧部を外方に露出するように配置された圧力スイッチと、その圧力スイッチ又は再生開始スイッチからの出力信号に基づいて作動する音声信号発生装置と、その音声信号発生装置から出力される音声信号によって音声を発生するスピーカと、電源電池とから構成される音声再生装置を備えた受け台と、中央部が窪むように形成された鉢状の容器体とからなり、その容器体が前記圧力スイッチの受圧部にて支承され、かつ、その受圧部に着脱自在に設けられていることを特徴とするペット用給餌容器。
【請求項２】
前記音声再生装置の電子回路に、音楽やメロディを選択する選曲スイッチが介装されていることを特徴とする請求項１に記載のペット用給餌容器。
【発明の詳細な説明】
【０００１】
【発明の属する技術分野】
本発明は、音楽やメロディを奏でるペット用給餌容器に関する。
【０００２】
【従来の技術】
従来のペット用給餌容器は、餌や飲料を与えることのみを目的として製造されており、音楽やメロディを奏でる機能を備えたものは見受けられない。
【０００３】
【発明が解決しようとする課題】
犬や猫等のペットについても、ストレス症状や精神状態が不安定な状態を生ずると言われている。そこで、昨今では、ペットにリラクゼーション効果を与えるための専用の音楽やメロディを収録したコンパクト・ディスク（ＣＤ）が販売されているようである。しかし、そのコンパクト・ディスクの再生については、コンパクトディスク・ラジオカセットプレーヤ等を使用しなければならないので、室内はともかくも、室外でそれらを度々使用するには煩わしさを伴う。そこで、本件出願人は斯様な状況を鑑みて、この発明を着想し完成するに至った。
【０００４】
この発明の目的は、餌や飲料を与えたときなどに音楽やメロディを自動的に奏でる簡便なペット用給餌容器を提供することにある。
【０００５】
【課題を解決するための手段】
前記目的を達成するために請求項１に記載した発明は、受圧部を外方に露出するように配置された圧力スイッチと、その圧力スイッチ又は再生開始スイッチからの出力信号に基づいて作動する音声信号発生装置と、その音声信号発生装置から出力される音声信号によって音声を発生するスピーカと、電源電池とから構成される音声再生装置を備えた受け台と、中央部が窪むように形成された鉢状の容器体とからなり、その容器体が前記圧力スイッチの受圧部にて支承され、かつ、その受圧部に着脱自在に設けられていることを特徴とする。
【０００６】
同様の目的を達成するために請求項２に記載した発明は、請求項１に記載のペット用給餌容器において、前記音声再生装置の電子回路に、音楽やメロディを選択する選曲スイッチが介装されていることを特徴とするものである。
【０００７】
【発明の作用及び効果】
（請求項１の発明）
ペット用給餌容器の容器体に一定量以上の餌や飲料を入れると、その重さによって音声再生装置の圧力スイッチの接点が閉じる。これにより、圧力スイッチから出力信号が発せられて音声信号発生装置を作動させ、その音声信号発生装置の音声信号に基づいてスピーカから音楽やメロディが所定時間、例えば、餌や飲料がなくなって圧力スイッチの接点が開くまでの時間、或いは、予めタイマーにより設定された時間を経過するまで自動的に奏でられる。
【０００８】
また、ペットに落ち着きがなくてリラックスさせてやりたいとき、ペットと遊ぶときや留守番をさせるときなどについても、給餌と関係なくペット用給餌容器の音楽やメロディをペットに聞かせることができる。この場合には、ペット用給餌容器の再生開始スイッチをオン操作することにより、音声再生装置が作動して音楽やメロディが自動的に奏でられる。
【０００９】
このペット用給餌容器の容器体は、受け台に載せられて着脱自在に設けられているので、汚れたときには簡単に取り外して洗うことができる。
【００１０】
（請求項２の発明）
受け台に備えられた選曲スイッチを操作することにより、音声再生装置に収められた音楽やメロディを任意に選択して再生することができる。
【００１１】
このペット用給餌容器は、餌や飲料を容器体に投入したときに音楽やメロディを自動的に奏でるように構成されているので、ペットにリラクゼーション効果を与えることが可能である。加えて、室内や戸外において給餌以外に音楽の再生のみに使用することもできると共に、容器体を受け台から簡単に取り外して洗うことができるので、大変使い勝手が良い。
【００１２】
【発明の実施の形態】
以下に、本発明の実施の形態例を図面に基づいて説明する。図１はペット用給餌容器の縦断正面図、図２は受け台の斜視図、図３は受け台のカバーを外した状態を示す斜視図である。
【００１３】
本発明のペット用給餌容器１は、音声再生装置を備えた受け台１０と、その上に載せられる鉢状の容器体４５とから構成されている。
【００１４】
図１、図３に示すように、やや扁平な円形状の受け台１０は、プラスチック製の底板１１の開口段部１１ａに、プラスチック製のカバー４０の内方に形成された段部４０ａを嵌め合わせてそれらを一体化するように設けられている。その底板１１には、電源電池たる図示しない乾電池を内蔵するための電池収容部１２、上記カバー４０をビスにより締め付けて固定するためのボス１３、音声再生装置の構成部品たる圧力スイッチ２０の揺動アーム２１を支持するための凹部１５が設けられた受け片１４等を一体に形成している。
【００１５】
揺動アーム２１には、一端２１ａの両側方に突出させた軸部２２，２２と、他端側２１ｂの上面に突出させた短い円筒形の受圧部２３と、他端側２１ｂの下面にコイルバネ２６の上部を嵌めるボス２４及び突部２５を一体に形成している。そして、この揺動アーム２１は、その軸部２２，２２を前記受け片１４の凹部１５に遊嵌し、受圧部２３をカバー４０の中心部に形成された穴４１に臨ませてコイルバネ２６により外方向に付勢するように設けられ、軸部２２，２２を支点にして揺動自由にされている。２７は揺動アーム２１の上面に固定されたストッパーであり、このストッパー２７を前記カバー４０の内面に当接させることにより、受圧部２３が前記穴４１から一定高さだけ露出するように設けられている。
【００１６】
２９は底板１１の内方に固定された一対の可動接点２９ａと固定接点２９ｂとからなるスイッチ本体であり、スイッチ本体２９の可動接点２９ａ側が、前記揺動アーム２１の突部２５の直下方に配置されている。上記揺動アーム２１とスイッチ本体２９とにより圧力スイッチ２０が構成される。
【００１７】
３０は底板１１の内方に固定されたプリント基板であり、このプリント基板３０には、音声信号発生装置の電子回路を構成する電子部品（図示せず）が着装される。その電子回路には、数種類の音楽やメロディを記憶させた読み出し専用の音声メモリーが組み込まれている。なお、その音声信号発生装置については公知の構成に準じた構成とすることから、詳しい説明を省く。
【００１８】
図２に示すように、受け台１０のカバー４０には、音声信号発生装置から出力される音声信号によって音声を発生するスピーカ３１、音楽やメロディを選択する選曲スイッチ３２、再生開始スイッチ３３を配設している。
【００１９】
しかして、圧力スイッチ２０又は再生開始スイッチ３３からの出力信号に基づいて音声信号発生装置を作動させ、その音声信号発生装置から選曲スイッチ３２で選択された音声信号出力によってスピーカ３１から音楽やメロディを発する音声再生装置が構成される。
【００２０】
容器体４５は、図１に示すように、中央部４６が窪むように形成されていて、外周部４８を底部４７よりも下方に延びるように設けられている。その底部４７の下面の中心部には、前記揺動アーム２１の受圧部２３の外径寸法よりやや大きい内径寸法とした円形突条部４９が一体に形成されている。そして、容器体４５は、その円形突条部４９を受け台１０の受圧部２３に嵌めることにより当該受け台１０にバランスよく支承されるように設けられている。
【００２１】
つぎに、上記構成になるペット用給餌容器１の作動及び取り扱い方について説明する。
一定量以上の餌や飲料が容器体４５に入れられると、その重さによって圧力スイッチ２０の揺動アーム２１が下方に揺動するので、スイッチ本体２９の可動接点２９ａが押されて接点を閉じる。これにより、スイッチ本体２９からの出力信号により音声信号発生装置が作動し、その音声信号発生装置の音声信号に基づいてスピーカ３１から音楽やメロディが所定時間だけ奏でられる。
【００２２】
そして、餌や飲料がなくなると容器体４５が軽くなるので、揺動アーム２１がコイルバネ２６の弾発力によって上方に揺動し、スイッチ本体２９の接点が再び開かれる。これにより、音声信号発生装置の作動が停止してスピーカ３１の音楽やメロディが止み、或いは、予めタイマーにより設定された時間を経過するまで音声信号発生装置の作動が継続して音楽やメロディが奏でられる。
【００２３】
また、ペットに落ち着きがなくてリラックスさせてやりたいとき、ペットと遊ぶときや留守番をさせるときなどについても、給餌と関係なくペット用給餌容器１の音楽やメロディをペットに聞かせることができる。この場合には、ペット用給餌容器１の選曲スイッチ３２により好みの音楽やメロディを選曲してから再生開始スイッチ３３をオン操作すれば、音声再生装置が作動して音楽やメロディが自動的に奏でられる。
【００２４】
以上に述べたとおり、このペット用給餌容器は、餌や飲料を容器体に投入したときに音楽やメロディを自動的に奏でるように構成されているので、ペットにリラクゼーション効果を与えることが可能である。さらに、室内や戸外において給餌以外に音楽の再生のみに使用することもできて、大変使い勝手が良い。
【図面の簡単な説明】
【図１】ペット用給餌容器の縦断正面図
【図２】受け台の斜視図
【図３】受け台のカバーを外した状態を示す斜視図
【符号の説明】
１・・・ペット用給餌容器
１０・・・受け台
１１・・・底板
２０・・・圧力スイッチ
２１・・・揺動アーム
２３・・・受圧部
２９・・・スイッチ本体
３０・・・プリント基板
３１・・・スピーカ
３２・・・選曲スイッチ
３３・・・再生開始スイッチ
４０・・・カバー
４５・・・容器体
４６・・・中央部
４７・・・底部
【図１】
2004329127.tif 000003
【図２】
2004329127.tif 000004
【図３】
2004329127.tif 000005